(57)【要約】      （修正有）【課題】モップバケツにおいて汚水を自動分離できるモップバケツ構造を提供する。【解決手段】外バケツ２０、内バケツ２１、ポンプ部材２４、伝動部材２５、連接筒２７、蓋体５を含み、外バケツ内の汚水の収容空間２０１内に内バケツを収容し、内バケツ底部から上方へ向けて位置決め部を突出形成し、その外周を囲んで上端に凸縁２４０を形成したポンプ部材を配置し、該ポンプ部材内には内バケツ内の洗浄水を導くねじ山部とポンプキャビティを形成し、ポンプキャビティ内に収容される伝動部材には、その内側に順に上記環状筒及び連接筒を収容し、該連接筒はモップに当接する作動部材３を設けてその上下操作を環状筒に回転駆動に換えて伝達し、さらに外側の伝動部材を介してポンプ部材に伝達することにより、洗浄水は内バケツからポンプキャビティを経て凸縁に沿って噴射されてモップに達し、蓋体に沿ってその外方に流下して、外バケツの汚水収容空間内に入る。【選択図】図１
0003228084.tif 000002
【実用新案登録請求の範囲】
【請求項１】
外バケツ、内バケツ、ポンプ部材、伝動部材、連接筒、蓋体とを含む、汚水を自動分離できるモップバケツ構造であって、
上記外バケツは、内部に汚水を収容する収容空間が形成され、
上記内バケツは、洗浄水を収容する格納空間を設けると共にその底部中央には位置決め部が上方へ突出して延伸形成されてその頂端に球体が設置されて蓋部材により覆い、
該内バケツを外バケツの上記収容空間内に設置して上記蓋体により覆って洗浄水を収容する格納空間を外バケツに対して区切り、
上記ポンプ部材は、円筒状であって上端に外方に向けて突出した凸縁を形成すると共に内部に上記位置決め部を収容して洗浄水を導く複数のねじ山部とポンプキャビティを形成し、
上記伝動部材は、筒状であって上記内バケツの位置決め部に嵌合されて上記ポンプキャビティ内に収容されると共に、
その内側に外方から順に上記環状筒及び連接筒を収容し、
該連接筒はモップの上下操作により駆動される作動部材を設けてその上下操作を外側に配置された環状筒に回転駆動に換えて伝達し、
さらに環状筒はその回転駆動を外側の伝動部材を介して上記ポンプ部材に伝達することにより、
上記蓋体上に当接したモップの上下操作に伴って内バケツ内の洗浄水を上記複数のねじ山部により送り、ポンプキャビティを経て上記ポンプ部材上端の凸縁に沿って噴射させ、モップ下面を洗浄した後、蓋体外方に流下させて外バケツの汚水収容空間内に入るようにした、ことを特徴とする汚水を自動分離できるモップバケツ構造。
【請求項２】
上記外バケツの内底部には上記収容空間上方に向かって内バケツ支持する支持ベースが突出して形成され、該内バケツの外周縁には上方へ延伸した外環部が形成されて、上記内バケツは上記支持ベース上に設置されると共に上記外環部によって上記外バケツの周縁に掛け釣りされて、外バケツ内に支持して設置されることを特徴とする請求項１の汚水を自動分離できるモップバケツ構造。
【請求項３】
上記外バケツの上縁には上記収容空間と互いに連通する出水口が形成され、上記内バケツの外環部には横方向へ突き出して出水穴が形成されると共に上記出水穴は上記出水口と互いに連通して組み合わせられることを特徴とする請求項２の汚水を自動分離できるモップバケツ構造。
【請求項４】
上記伝動部材は、上筒が下筒に連接し、該上筒には上記連接筒と環状筒が収容され、該下筒は上記内バケツの位置決め部に嵌められ、上記上筒の直径は上記下筒の直径より大きいことを特徴とする請求項１の汚水を自動分離できるモップバケツ構造。
【請求項５】
上記ポンプ部材の内壁には凹口が形成され、上記伝動部材の下筒には係合部が形成されて該凹口に係合することにより上記伝動部材が上記ポンプ部材内に固設されることを特徴とする請求項４の汚水を自動分離できるモップバケツ構造。
【請求項６】
上記伝動部材の上筒の内部には少なくとも一つの耳部が形成された中心柱が設けられることを特徴とする請求項４の汚水を自動分離できるモップバケツ構造。
【請求項７】
上記連接筒は、下方へ外筒と内筒が延伸され、該外筒の下端縁は外方へ突出して少なくとも一つの突起部が形成され、該内筒は前記作動部材が挿通され、上記内筒の直径と上記中心柱の直径は同じであり、上記バネは伝動部材に対して上記中心柱と内筒の外周側に嵌められることを特徴とする請求項６の汚水を自動分離できるモップバケツ構造。
【請求項８】
上記内筒の外周側は収容部材と第一ローラーが嵌められ、上記収容部材の片側には該第一ローラーが設置され、上記収容部材のもう片側には上記バネによって頂部に当接することを特徴とする請求項７の汚水を自動分離できるモップバケツ構造。
【請求項９】
上記連接筒の上表面には第二ローラーが収容され、上記作動部材は上記第二ローラーを貫通して上記装設空間内に延伸されることを特徴とする請求項１の汚水を自動分離できるモップバケツ構造。
【請求項１０】
上記連接筒と環状筒の間にはそれらの下端に区切られて螺旋状の溝部が形成され、該連接筒の外筒の突起部は該溝部内に係合されることを特徴とする請求項７の汚水を自動分離できるモップバケツ構造。
【請求項１１】
上記作動部材は、その両端にそれぞれ清掃道具が接触する接触端と前記連接筒内部の装設空間内に挿し込まれる挿し込み端とを備えることを特徴とする請求項６の汚水を自動分離できるモップバケツ構造。
【請求項１２】
上記挿し込み端には、少なくとも一つの係合部が形成され、該係合部は前記連接筒内部の中心柱の耳部が係合されることで、前記中心柱を駆動して回転させることを特徴とする請求項１１の汚水を自動分離できるモップバケツ構造。
【請求項１３】
上記外バケツの外側壁には少なくとも一つの持ち手が設けられることを特徴とする請求項１の汚水を自動分離できるモップバケツ構造。
【請求項１４】
上記蓋体の上表面は中心から外方へ向けて傾斜構造を呈することを特徴とする請求項１の汚水を自動分離できるモップバケツ構造。
【考案の詳細な説明】
【技術分野】
【０００１】
本考案はモップバケツ構造に関し、特に汚水を自動分離できるモップバケツ構造に関する。
【背景技術】
【０００２】
一般的な床の掃除は床にある埃を掃いた後、従来のモップを水を張ったバケツに入れ、濡らして手で絞った後、モップの清掃布で床を往復操作して拭くことで、床面にある汚れ、雑菌または取れにくい埃を取り除く。または、水に特殊の洗剤を入れることで、異なる清潔効果を奏する。
【０００３】
しかし、一般的なバケツはただ水を入れる機能しかなく、使用者がモップをバケツに入れた後、手でモップを持ったまま絶えず動かさなければならない、清掃布を水の中で揺らすことで清掃布についている付着物を落とすためである。この時、該バケツ中の水が徐々に汚水になり、使用者がまたモップを洗いたい時はバケツ内の水がますます汚れるため、その状態において汚水を捨ててもう一度きれいな水に変えなければならないので、床掃除の度に数回もバケツ内の水を交換することになり、体力を消耗するだけでなく、掃除の時間も長くなってしまう。
【０００４】
このほか、掃除の過程において、清掃布に付いている汚れを除去することも制限されてしまう。
従って、本考案者は長年にわたって関係商品の製造開発と設計をした経験により、上記の課題について、詳しく検討して慎重に評価した結果、実用性に満ちた本考案を得た。
【先行技術文献】
【特許文献】
【０００５】
【特許文献１】実開２０１２−１４８０３９号公報
【考案の概要】
【考案が解決しようとする課題】
【０００６】
本考案が解決しようとする課題は、従来のモップバケツ構造における技術問題点について解決し、汚水を自動分離できるモップバケツ構造を提供する。
【課題を解決するための手段】
【０００７】
本考案の汚水を自動的に分離できるモップバケツ構造は、外バケツ、内バケツ、ポンプ部材、伝動部材、連接筒と蓋体とを含む。該外バケツの内部は汚水を収容する収容空間が形成され、該内バケツは上記の収容空間内に設けられる。該内バケツの中央部には位置決め部が上方へ突出して延長形成され、該位置決め部の頂端には球体が設置され、蓋部材により該球体を覆う。
【０００８】
該ポンプ部材が上記の位置決め部の外周側に設けられ、該ポンプ部材の一端は凸縁が外へ突き出して伸び、また該ポンプ部材の内部は複数のねじ山部とポンプキャビティが形成される。上記伝動部材は該ポンプキャビティ内に収容され、また上記位置決め部に嵌合される。該伝動部材の内部は収容部が形成されてバネを収容し、上記連接筒は該収容部内に収容され、また上記バネを覆う。該連接筒の内部に装設空間が形成されて作動部材が挿し込まれる。該連接筒と上記伝導部材との間は環状筒が設けられ、上記蓋体は上記内バケツを覆って格納空間が区切られ、該格納空間と上記ポンプキャビティは互いに連通してきれいな水を収容する。
【０００９】
本考案の構造によると、使用者が清掃道具（例えばモップ）を洗いたい時、該清掃道具の底部を上記作動部材に当て、上下操作、回転を繰り返させる。この時、上記内バケツに入っているきれいな水は上記ポンプ部材のポンプキャビティに入った後、きれいな水は該ポンプ部材一端の凸縁構造によって上記蓋体の表面に誘導されて流れる。この時、該蓋体の表面に接触する清掃道具はポンプキャビティ内から流れ出したこのきれいな水によって再び濡らされて、付いている埃と汚れを流して汚水となり、また蓋体の表面は中心から外方へ向けて傾斜構造を呈するため、汚水は内バケツに流入することなく上記外バケツの収容空間内に排出される。
すなわち、本考案のモップバケツ構造は汚水を自動分離でき、また外バケツと内バケツによって汚水ときれいな水が分けられることにより、使用者の利便性を大きく向上できるだけでなく、清掃道具の清潔度も大幅に向上できる。このほか、使用者が掃除の間にバケツの中の水を繰り返して交換する必要がなく、清掃時間を大幅に短縮できる。
【図面の簡単な説明】
【００１０】
【図１】図１は、本考案に係る汚水を自動分離できるモップバケツ構造を示す立体分解図である。
【図２】図２は、本考案に係る汚水を自動分離できるモップバケツ構造を示す立体組合せ図である。
【図３】図３は、本考案に係る汚水を自動分離できるモップバケツ構造を示す断面図である。
【図４】図４は、本考案の部分部品の立体断面図である。
【図５】図５は、本考案の作動部材の斜視図である。
【図６】図６は、本考案の１実施例を示す図である。
【考案を実施するための形態】
【００１１】
まず、図１から図３を参照されたい。本考案の汚水を自動分離できるモップバケツ構造２は、外バケツ２０、内バケツ２１、ポンプ部材２４、伝動部材２５、連接筒２７、蓋体５とを含む。該外バケツ２０の内部は収容空間２０１が形成され、該収容空間２０１は清掃道具９（同時に図６を参照されたい、道具はモップである）を洗浄した後に排出した汚水８０を収容するためのもので
ある。
【００１２】
該外バケツ２０内の底部には上記収容空間２０１に向かって支持ベース２００（図３参照）が上方へ突出して延長形成され、また該外バケツ２０の外周壁の一部は外方へ突出した出水口２０２が形成されて上記収容空間２０１と互いに連通して該出水口２０２は汚水８０の排水部位となる。また、該外バケツ２０の外側壁には少なくとも一つの持ち手７が設けられ、該持ち手７は使用者が該モップバケツ構造２を使用する時に把持して簡単に該外バケツ２０が持ち上げられ、使用上において便利である。
【００１３】
上記の内バケツ２１の外周縁は上方へ延伸して外環部２１２が形成され、該内バケツ２１は上記外バケツ２０の収容空間２０１内に配置され、上記外バケツの支持ベース２００上に設置される。該外環部２１２は該外バケツ２０の周縁に掛けられることで、該内バケツ２１は収容空間２０１内に宙釣りのような設置状態になる。該外環部２１２には横方向へ突出した出水穴２１３が形成され、該出水穴２１３は前記外バケツ２０の出水口２０２と互いに連通して組み合わせられる。このため、外バケツ２０内の汚水８０は先に上記出水口２０２を通過して該出水穴２１３に流れた後、外バケツ２０の外部まで流れて排出される。該内バケツ２１内の中央部は上方に突出して位置決め部２１０が形成され、該位置決め部２１０の内部に中空区画２１１が形成され、球体２２が該位置決め部２１０の頂端に設置されて蓋部材２３によって覆われる。
【００１４】
併せて図４を参照されたい。前記ポンプ部材２４は筒状であって上記内バケツ内の位置決め部２１０の外周側に設けられる。該ポンプ部材２４の上端縁は外方へ向けて突出して凸縁２４０が形成され、また該ポンプ部材２４の内部には複数のねじ山部２４１とポンプキャビティ２４３と凹口２４２が形成される。上記伝動部材２５は、上記ポンプキャビティ２４３内に収容され、また上記位置決め部２１０に嵌められる。
より詳細に説明すると、該伝動部材２５は上筒２５０と下筒２５３が一体成型して互いに連接して構成される（図４参照）。該上筒２５０には連接筒２７と環状筒４が収容設置され、該下筒２５３は上記内バケツ内の位置決め部２１０に嵌められる。また該下筒２５３は係合部２５４が形成されて該ポンプ部材２４の凹口２４２に係合されることで、該伝動部材２５が上記ポンプ部材２４内に固設され、これらは一体として駆動される。
該上筒２５０の直径は該下筒２５３の直径より大きく、該伝動部材２５の内部は収容部２５５が形成されてバネ２６を収容し、該上筒２５０の内部は中心柱２５１と少なくとも一つの耳部２５２が形成される。
【００１５】
上記連接筒２７は伝動部材２５の上筒２５０の内側に収容され、また上記バネ２６を覆う。さらに説明すると、該連接筒２７の内部は装設空間２９０が形成され、また下へ外筒２８と内筒２９が延伸される。該外筒２８の下端縁は外方へ突出して少なくとも一つの突起部２８０が形成され、該突起部２８０は上記連接筒２７と環状筒４の下端に区切られて形成された螺旋状の溝部４０内に係合される。該内筒２９の直径と上記中心柱２５１の直径は同じであって、上記バネ２６は上記上筒２５０の中心柱２５１と上記連接筒２７の内筒２９の外周側に嵌められ、該内筒２９には作動部材３が挿通され、その先端は中心柱２５１に至る。
該連接筒２７と上記伝動部材２５の間は環状筒４が位置する。
【００１６】
併せて図５を参照されたい。上記作動部材３の両端はそれぞれ接触端３０と挿し込み端３１が形成され、該接触端３０は清掃道具９の底部に形成された区画９０が当接され、該挿し込み端３１は上記連接筒の内筒２９内の装設空間２９０を挿通して挿し込み端３１に形成された少なくとも一つの係合部３１０が上記伝動部材２５の上筒２５０の中心柱２５１の耳部２５１に係合されることで、清掃道具９の上下操作が該中心柱２５１と内筒２９との間の上下動として連接筒２７に伝達され、その外筒２８下端の突起部２８０に係合した環状筒４の螺旋状の溝部４０により上下動を回転に換えて環状筒４を回転させ、伝動部材２５とポンプ部材２４を連動して回転させる。
【００１７】
上記蓋体５は合わせて内バケツ２１を覆って格納空間５０が区切られ、該格納空間５０と上記ポンプキャビティ２４３は互いに連通してきれいな水８１を収容する。最適実施例においては、本考案の蓋体５の表面は内から外へ傾斜状態を呈することで、汚水８０はスムーズに蓋体５の表面に沿って該外バケツ２０の収容空間２０１内に流れる。
【００１８】
また、上記内筒２９の外周側は収容部材６０と第一ローラー６１が嵌められ、該収容部材６０の片側は該第一ローラー６１が設置され、該収容部材６０のもう片側は上記バネ２６によって頂部を当て、上記連接筒２７の上表面は第二ローラー６２が収容され、上記作動部材３は該第二ローラー６２を貫通して上記装設空間２９０内に延伸される。
【００１９】
合わせて図６を参照されたい。本考案のモップバケツ構造２によると、使用者が清掃道具９を洗いたい時、まず、先に該清掃道具９の底部にある区画９０を作動部材３の接触端３０に係合した後、手で清掃道具9を上下に繰り返し操作することによって作動部材３を駆動し、作動部材3に係合される連接筒２７が上下に往復作動することで外筒２８下端の突起部２８０は環状筒４の溝部４０内を移動する。該溝部４０は螺旋状とされており、この上下往復作動により環状筒４を回転させ、伝動部材２５とポンプ部材２４を連動して回転させることによって、ねじ山部２４１によって内バケツ内の洗浄水がポンプキャビティ２４３を経て上方に送られて該ポンプ部材２４上端の凸縁２４０に沿って噴射され、清掃道具９の底部を洗浄し、付いている埃と汚れを流して汚水８０にし、また蓋体５の上表面は中心から外方へ向けて傾斜構造を呈するため、汚水８０は内バケツ内に戻ることなく上記外バケツ２０の収容空間２０１内に排出される。
すなわち、本考案のモップバケツ構造２は汚水８０を自動分離でき、また外バケツ２０と内バケツ２１によって汚水８０ときれいな水８１が分けられることにより、使用者の利便性を大きく向上できるだけでなく、清掃道具９の清潔度も大幅に向上できる。このほか、使用者が掃除の間にバケツの中の水を繰り返して交換する必要がなく、清掃時間を大幅に短縮できる。
【００２０】
以上をまとめると、本考案は従来構造と比べると以下のような優れた点がある。１、汚水を自動分離できる。２、清掃道具の清潔度を大幅に向上できる。３、清掃時間を大幅に短縮できる。
以上は、本考案に係る実施例の一部に過ぎないため、本考案の実施範囲を制限するものではない。即ち、本考案の特許請求の範囲内で行われる変更、応用なども本考案の範囲に属すべきである。
【符号の説明】
【００２１】
２              モップバケツ構造
２０            外バケツ
２００          支持ベース
２０１          収容空間
２０２          出水口
２１            内バケツ
２１０          位置決め部
２１１          中空区画
２１２          外環部
２１３          出水穴
２２            球体
２３            蓋部材
２４            ポンプ部材
２４０          凸縁
２４１          ネジ山部
２４２          凹口
２４３          ポンプキャビティ
２５            伝動部材
２５０          上筒
２５１          中心柱
２５２          耳部
２５３          下筒
２５４          係合部
２５５          収容部
２６            バネ
２７            連接筒
２８            外筒
２８０          突起部
２９            内筒
２９０          装設空間
３              作動部材
３０            接触端
３１            挿し込み端
３１０          係合部
４              環状筒
４０            溝部
５              蓋体
５０            格納空間
６０            収容部材
６１            第一ローラー
６２            第二ローラー
７              持ち手
８０            汚水
８１            きれいな水
９              清掃道具
９０            区画
【図１】
0003228084.tif 000003
【図２】
0003228084.tif 000004
【図３】
0003228084.tif 000005
【図４】
0003228084.tif 000006
【図５】
0003228084.tif 000007
【図６】
0003228084.tif 000008
【手続補正書】
【提出日】令和2年7月3日(2020.7.3)
【手続補正１】
【補正対象書類名】実用新案登録請求の範囲
【補正対象項目名】全文
【補正方法】変更
【補正の内容】
【実用新案登録請求の範囲】
【請求項１】
外バケツ、内バケツ、ポンプ部材、伝動部材、環状筒、連接筒、蓋体とを含む、汚水を自動分離できるモップバケツ構造であって、
上記外バケツは、内部に汚水を収容する収容空間が形成され、
上記内バケツは、洗浄水を収容する格納空間を設けると共にその底部中央には位置決め部が上方へ突出して延伸形成されてその頂端に球体が設置されて蓋部材により覆い、
該内バケツを外バケツの上記収容空間内に設置して上記蓋体により覆って洗浄水を収容する格納空間を外バケツに対して区切り、
上記ポンプ部材は、円筒状であって上端に外方に向けて突出した凸縁を形成すると共に内部に上記位置決め部を収容して洗浄水を導く複数のねじ山部とポンプキャビティを形成し、
上記伝動部材は、筒状であって上記内バケツの位置決め部に嵌合されて上記ポンプキャビティ内に収容されると共に、
その内側に外方から順に上記環状筒及び連接筒を収容し、
該連接筒はモップに当接する作動部材を介してモップの上下操作を受けて上下動してその上下動を外側に配置された環状筒に回転駆動に換えて伝達し、
さらに環状筒はその回転駆動を外側の伝動部材を介して上記ポンプ部材に伝達することにより、
上記蓋体上に当接したモップの上下操作に伴って内バケツ内の洗浄水を上記複数のねじ山部により送り、ポンプキャビティを経て上記ポンプ部材上端の凸縁に沿って噴射させ、モップ下面を洗浄した後、蓋体外方に流下させて外バケツの汚水収容空間内に入るようにした、ことを特徴とする汚水を自動分離できるモップバケツ構造。
【請求項２】
上記外バケツの内底部には上記収容空間上方に向かって内バケツ支持する支持ベースが突出して形成され、該内バケツの外周縁には上方へ延伸した外環部が形成されて、上記内バケツは上記支持ベース上に設置されると共に上記外環部によって上記外バケツの周縁に掛け釣りされて、外バケツ内に支持して設置されることを特徴とする請求項１の汚水を自動分離できるモップバケツ構造。
【請求項３】
上記外バケツの上縁には上記収容空間と互いに連通する出水口が形成され、上記内バケツの外環部には横方向へ突き出して出水穴が形成されると共に上記出水穴は上記出水口と互いに連通して組み合わせられることを特徴とする請求項２の汚水を自動分離できるモップバケツ構造。
【請求項４】
上記伝動部材は、上筒が下筒に連接し、該上筒には上記連接筒と環状筒が収容され、該下筒は上記内バケツの位置決め部に嵌められ、上記上筒の直径は上記下筒の直径より大きいことを特徴とする請求項１の汚水を自動分離できるモップバケツ構造。
【請求項５】
上記ポンプ部材の内壁には凹口が形成され、上記伝動部材の下筒には係合部が形成されて該凹口に係合することにより上記伝動部材が上記ポンプ部材内に固設されることを特徴とする請求項４の汚水を自動分離できるモップバケツ構造。
【請求項６】
上記伝動部材の上筒の内部には少なくとも一つの耳部が形成された中心柱が設けられることを特徴とする請求項４の汚水を自動分離できるモップバケツ構造。
【請求項７】
上記連接筒は、下方へ外筒と内筒が延伸され、
該外筒の下端縁は外方へ突出して螺旋状の溝部に係合して上下動を回転駆動に変換する少なくとも一つの突起部が形成され、
該内筒にはモップに当接する前記作動部材が挿通・配置され、
該内筒は前記作動部材が挿通されて、上記連接筒の内筒の直径と上記伝動部材の上筒の内部の中心柱の直径は同じとして中心柱と内筒の外周側に嵌められたバネを介して伝動部材に対して上下動可能とした
ことを特徴とする請求項６の汚水を自動分離できるモップバケツ構造。
【請求項８】
上記内筒の外周側には環状の収容部材と第一ローラーが嵌められて、前記バネを該収容部材の片側に当接し、他方側に第一ローラーを設置した、
ことを特徴とする請求項７の汚水を自動分離できるモップバケツ構造。
【請求項９】
上記連接筒の上表面に環状の第二ローラーを配置し、前記作動部材を該第二ローラーを貫通して前記連接筒の内筒内に形成した装設空間に作動部材を延伸して収容した
ことを特徴とする請求項１の汚水を自動分離できるモップバケツ構造。
【請求項１０】
上記連接筒と環状筒の間にはそれらの下端に区切られて螺旋状の溝部が形成され、前記連接筒の外筒の突起部は該溝部内に係合されることを特徴とする請求項７の汚水を自動分離できるモップバケツ構造。
【請求項１１】
上記作動部材は、その両端にそれぞれ清掃道具が接触する接触端と前記連接筒内部の装設空間内に挿し込まれる挿し込み端とを備えることを特徴とする請求項６の汚水を自動分離できるモップバケツ構造。
【請求項１２】
上記挿し込み端には、少なくとも一つの係合部が形成され、該係合部は前記連接筒内部の中心柱の耳部が係合されることで、前記中心柱を駆動して回転させることを特徴とする請求項１１の汚水を自動分離できるモップバケツ構造。
【請求項１３】
上記外バケツの外側壁には少なくとも一つの持ち手が設けられることを特徴とする請求項１の汚水を自動分離できるモップバケツ構造。
【請求項１４】
上記蓋体の上表面は中心から外方へ向けて傾斜構造を呈することを特徴とする請求項１の汚水を自動分離できるモップバケツ構造。